(57)【要約】【課題】  顧客がプリントを望まない手ぶれ等による不良（ぼけ）画像を自動的に識別できる写真処理装置を提供する。【解決手段】  本発明は、顧客によって与えられる画像ソースから１又は複数の画像データを読み出して、該画像データを基にプリント出力する写真処理装置において、前記画像データの周波数成分を低周波成分及び高周波成分とに分離して抽出する周波数成分抽出手段と、抽出された前記低周波成分及び前記高周波成分から該高周波成分の成分比を求め、該成分比と所定の基準値とを比較し、その結果に基づき当該画像データがプリントに適するか否かを判断する判断手段を有することで、不良画像のプリント出力を確実に防止できる。【選択図】  図４
2006058749.tif 000002
【特許請求の範囲】
【請求項１】
顧客によって与えられる画像ソースから１又は複数の画像データを読み出して、該画像データを基にプリント出力する写真処理装置において、
前記画像データの空間周波数成分を低周波成分及び高周波成分とに分離して抽出する周波数成分抽出手段と、
抽出された前記低周波成分及び前記高周波成分から該高周波成分の成分比を求め、該成分比と所定の基準値とを比較し、その結果に基づき当該画像データがプリントに適するか否かを判断する判断手段とを有することを特徴とする写真処理装置。
【請求項２】
前記判断手段がプリントに適さないと判断した場合には、当該画像データのプリント出力をロックすることを特徴とする請求項１に記載の写真処理装置。
【請求項３】
前記ロックを解除する解除手段を有することを特徴とする請求項２に記載の写真処理装置。
【請求項４】
前記判断手段がプリントに適さないと判断した画像をモニタに表示する場合には、該画像がプリントに適さない旨も併せて表示することを特徴とする請求項１から３の何れかに記載の写真処理装置。
【請求項５】
前記基準値が調整可能に構成されてなることを特徴とする請求項１から４の何れかに記載の写真処理装置。
【発明の詳細な説明】
【技術分野】
【０００１】
本発明は、写真処理装置に関し、特に顧客が持ち込んだ写真フィルムや各種メディアから画像データを読み出し、これを基にプリント出力するデジタル方式の写真処理装置に関する。
【背景技術】
【０００２】
近年、写真店（いわゆるラボ）においては、ネガ、ポジ等の写真フィルムからスキャナ等により読み取った画像データや、メモリカード、ＣＤ−ＲＯＭ等の各種メディアに保存されている画像データを基に写真プリントを出力するデジタル方式の写真処理装置が普及している。
【０００３】
かかる写真処理装置では、出力対象となる画像データに対して、色濃度補正や様々な特殊加工等、各種デジタル画像処理を容易に施し、写真プリントを生成できるので、アナログ方式（写真フィルムを介して感光材料を直接露光する）の写真処理装置に比べ、より多彩なサービスが提供でき、その需要性は高い。
【０００４】
ところで、写真プリントを注文する顧客は、持ち込んだ写真フィルム等のコマ画像全てではなく、撮影状態の良いもののみをプリントするように要求するのが通常である。
【０００５】
これに対し、露光量を基に極端なアンダーシーン、オーバーシーン等を自動的に判断し、これらをプリント対象から除外する写真処理装置が知られている。
【発明の開示】
【発明が解決しようとする課題】
【０００６】
しかしながら、上記写真処理装置では、画像データの露光量を解析し、許容範囲を逸脱しているか否かでアンダーシーンやオーバーシーン等を判断するため、例えば、露光量は適正であるが、手ぶれ等が原因と思われる状態不良のコマ画像を認識することはできない。したがって、手ぶれ等のコマ画像については、依然として店員等の視認により判断され、プリントに適するか否かが決められているのが現状である。
【０００７】
このような人的判断によると、その判断の基準を画一的なものとすることは極めて困難であり、顧客の受けるサービスの同一性が妨げられる虞がある。また、店員等にも負担がかかるので生産効率の低下要因となりかねない。
【０００８】
したがって、手ぶれ等の状態不良画像を自動的に判断する機能を備えた写真処理装置の必要性は高いといえる。
【０００９】
本発明は、上記従来の課題を解決するものであり、顧客が注文した画像データの中から手ぶれ等による状態不良画像を正確に自動認識できる写真処理装置を提供することを目的とする。
【課題を解決するための手段】
【００１０】
本発明に係る写真処理装置は、顧客によって与えられる画像ソースから１又は複数の画像データを読み出して、該画像データを基にプリント出力する写真処理装置において、前記画像データの空間周波数成分を低周波成分及び高周波成分とに分離して抽出する周波数成分抽出手段と、抽出された前記低周波成分及び前記高周波成分から該高周波成分の成分比を求め、該成分比と所定の基準値とを比較し、その結果に基づき当該画像データがプリントに適するか否かを判断する判断手段とを有することを特徴とする。
【００１１】
上記構成の写真処理装置において、画像ソースとは、顧客がプリント出力を希望する画像データの供給源をいい、例えば、ネガフィルム、ポジフィルム等の写真フィルムや各種メディア（メモリカード、ＣＤ−ＲＯＭ等）がこれに該当する。
【００１２】
周波数成分抽出手段は、読み出した画像データに周波数変換（例えば、ウェーブレット変換等の公知技術による変換）を行い、実測（実験）等を踏まえて導かれた高周波と低周波とを分ける境界値に従って該画像データの周波数成分を高周波成分及び低周波成分の２成分に分離して、抽出を行う。
【００１３】
判断手段は、その抽出した前記低周波成分及び前記高周波成分から該高周波成分の成分比（当該画像データの空間周波数成分における高周波成分の割合）を求め、該成分比と所定の基準値とを比較することによって、当該画像データがプリント出力に適するか否か、より具体的には手ぶれ等が起きている状態であるか否かを判断する。
【００１４】
一般に、ピンぼけした画像データを周波数解析すると、高周波成分が低下している（低周波成分が多い）状態となっていることがよく知られている。本発明は、かかる現象を応用したものであり、画像データの空間周波数成分を解析し、高周波成分が少ない画像データについては、ピンぼけ画像（手ぶれ等による画像）と判断するものである。
【００１５】
したがって、上記構成によれば、回路等の構成が簡易でありながら、手ぶれ等による画像（即ち、プリントに適さない画像）であるか否かを自動的に精度良く判断でき、かかる結果を利用することで、プリントに適さない画像（不良画像）の出力防止を図れるのである。
【００１６】
具体的には、前記判断手段がプリントに適さないと判断した場合には、当該画像データのプリント出力をロックする構成とすると、確実に上記不良画像のプリント出力を防止することができる。
【００１７】
また、自動的（内部的に）に不良画像と判断し、前記ロックがかけられても、状況によってはプリント出力する必要性も考えられることから、オペレータ等（店員等や顧客）によって、前記ロックを解除する解除手段を有する構成とするのが望ましい。
【００１８】
また、前記判断手段がプリントに適さないと判断した画像をモニタに表示する場合には、該画像がプリントに適さない旨も併せて表示する構成とすると、オペレータ等が容易に不良画像の把握ができるので好ましい。
【００１９】
この場合のプリントに適さない旨の表示とは、文字表示に限られず、オペレータが容易に認識できるのであれば、その表示態様を問うものでない。
【００２０】
また、画像データの高周波成分比と比較する前記基準値を固定値とせずに、調整可能な構成とすると、当該画像データの撮影シーン等の付加的な情報も考慮することができ、手ぶれ等による不良画像識別の精度向上が図れる。
【発明の効果】
【００２１】
以上の如く、本発明の写真処理装置によれば、手ぶれ等による不良画像を自動的に判別できる機能を備えるため、顧客が望まない不良画像のプリント出力を確実かつ容易に防止することが可能となる。
【発明を実施するための最良の形態】
【００２２】
以下、本発明の実施形態に係る写真処理装置について図面を参酌しつつ説明する。
【００２３】
図１は、本実施形態に係る写真処理装置の外観図であり、図２は該写真処理装置の内部構成を示すブロック図である。本写真処理装置は、顧客が持ち込んだ写真フィルムＦやメディアＭから画像データを読み込み、場合に応じて各種補正やトリミング等のデジタル画像処理を施して出力用の画像データを生成する画像処理装置１と、該画像処理装置１から出力された画像データを基に、感光材料ＰＡに画像をプリントするプリント装置２とで構成されている。
【００２４】
画像処理装置１は、ネガフィルムやポジフィルム等の写真フィルムＦから画像を読み取るスキャナ３と、ＣＤ−ＲＯＭやメモリカード等のメディアＭに保存されている画像データを読み込むメディアドライブ４と、画像処理装置１の制御を含む本写真処理装置全体を制御する主制御装置５と、写真フィルムＦやメディアＭから読み込んだ画像を表示するモニタ６と、オペレータ（店員等や顧客）からの操作指令を受け付ける入力装置７（キーボード７ａ及びマウス７ｂ）を備えている。尚、モニタ６をタッチパネル方式の入力が可能となるように構成し、オペレータの指や専用の入力ペン等を使用して操作指令を受け付けるようにすることも可能である。
【００２５】
主制御装置５は、当該制御、演算の主体であるＣＰＵ８、ＧＵＩ（グラフィカル・ユーザ・インタフェース）用プログラム等が記憶されるＲＯＭ９ａ、処理用のワークエリア等として使用されるＲＡＭ９ｂ及び各種外部装置（スキャナ３、メディアドライブ４、モニタ６及び入力装置７）とのＩ／Ｏ処理を行うＩ／Ｏ処理部１０及び本発明の特徴であるプリント適否判断処理部１１をその内部に備えている。
【００２６】
プリント装置２は、画像処理装置１によって画像処理された画像データを基に感光材料ＰＡに対して露光処理する露光処理部１２と、露光処理された感光材料ＰＡを現像処理する現像処理部１３と、現像処理された感光材料ＰＡを乾燥処理する乾燥処理部１４と、乾燥処理されて写真となった感光材料ＰＡを仕分処理する仕分処理部１５とで構成されている。
【００２７】
露光処理部１２は、感光材料ＰＡを一対のマガジン１６ａ、１６ｂから引き出し、搬送用ローラ対１７によって下流側に搬送する。そして、ハロゲンランプ等からなる光源１８ａと、該光源１８ａに光ファイバー束１８ｂを介して接続された光シャッター１８ｃとで構成される露光装置１８によって、感光材料ＰＡを露光する。
【００２８】
現像処理部１３は、感光材料ＰＡに対して、現像、漂白、定着、安定化等の処理を行う。
【００２９】
乾燥処理部１４は、現像処理部１３から送られてくる感光材料ＰＡに熱風装置１９からの熱風を吹き付け、感光材料ＰＡに付着した現像液等を乾燥させる処理を行う。
【００３０】
仕分処理部１５は、露光処理、現像処理及び乾燥処理が施された感光材料ＰＡを大小別に仕分けるサイズ仕分部２０と、該サイズ仕分部２０で仕分けされた小さなサイズの感光材料ＰＡをオーダ毎に仕分けるオーダ仕分部２１を有している。
【００３１】
サイズ仕分部２０は、大きなサイズの感光材料ＰＡをトレー２２に排出し、小さなサイズの感光材料ＰＡをコンベア２３に搬送する。オーダ仕分部２１は、コンベア２３によって搬送されてくる感光材料ＰＡを各受皿２４に対してオーダ毎に振り分ける。
【００３２】
次に、画像処理装置１による画像処理について説明する。まず、主制御装置５のＲＯＭ９ａにインストールされている画像処理プログラムをＣＰＵ８が起動させると、モニタ６に図示しないメイン操作画面が表示される。オペレータは当該メイン操作画面にて処理すべき画像データを写真フィルムＦから読み取るか、メディアＭから読み取るかの選択を行う。ここで選択した画像データは一旦ＲＡＭ９ｂに展開される。
【００３３】
続いて、オペレータがメイン操作画面上のジャッジ画面切替用ボタンをマウス７ｂ等を用いてクリックすると、メイン操作画面から図３に示すジャッジ画面３０に切り替わるが、その間に、主制御装置５のプリント適否判断処理部１１によって、ジャッジ画面３０に表示する各コマ画像３１に係る画像データがプリントに適するか否かの判断が行われる。
【００３４】
図４は、プリント適否判断処理部１１の内部構成を示すブロック図である。プリント適否判断処理部１１は、周波数成分抽出手段４０及び判断手段４１を有している。周波数成分抽出手段４０は、入力されたコマ画像３１に係る画像データに対して周波数変換（例えば、ウェーブレット変換等）を行い、空間周波数成分を生成する。そして、予めＲＯＭ９ａに記憶している境界値（高周波と低周波を分ける、実測（実験）等を踏まえて導出された境界周波数）に係る定数を用いて、当該空間周波数成分を高周波成分及び低周波成分に分離して抽出する。
【００３５】
判断手段４１は、抽出された高周波成分及び低周波成分から高周波成分の成分比（当該空間周波数成分における高周波成分の割合）を求める。そして、かかる成分比と予めＲＯＭ９ａに記憶している基準値に係る定数を用いて、当該画像データがプリントに適するか否かの判断を行う。前記基準値は、実測（実験）等により導出された、プリント許容範囲（換言すれば、ぼけの程度が許容できる範囲）となる画像データにおける高周波成分比の最小値である。判断手段４１は、かかる基準値と求めた成分比とを比較し、該成分比が基準値以上となっている場合には、プリントに適するとしてプリント可能信号をＣＰＵ８に出力する。一方、基準値に達していない場合には、プリント不可信号を出力する。
【００３６】
以上の処理がメイン操作画面から図３に示すジャッジ画面３０に切り替わる間に行われる。ジャッジ画面３０には、読み込んだ画像データの内の６ファイル分の画像が、コマ画像３１として６コマ分表示され、各コマ画像３１の下側には補正ボタンエリア３２が設けられている。該補正ボタンエリア３２内には、色補正ボタン３３ｙ（イエロー成分補正用）、３３ｍ（マゼンダ成分補正用）、３３ｃ（シアン成分補正用）、濃度補正ボタン３３ｄ及びＤＳＡボタン３４（コントラスト、彩度、シャープネス等の補正用）が配置（表示）されている。オペレータは、かかるジャッジ画面を介して、出力を希望する画像データに対して色濃度補正等のデジタル画像処理を施すことができる。
【００３７】
また、プリント適否判断処理部１１による上記結果もＣＰＵ８によってジャッジ画面３０に反映される。即ち、各コマ画像３１に対応するプリント適否ボタン３５上に、かかる結果が表示される。具体的には、プリントに適すると判断された（プリント可能信号が出力された）コマ画像３１には、”Ｐ可能”と表示され、プリントに適さないと判断された（プリント不可信号が出力された）コマ画像３１には、”Ｐ不可”と表示される。図３に示すジャッジ画面３０では、Ｒｅａｌ０１．ＢＭＰ〜Ｒｅａｌ０３．ＢＭＰ、Ｒｅａｌ０５．ＢＭＰ及びＲｅａｌ０６．ＢＭＰが、プリントに適する画像データであると判断され、Ｒｅａｌ０４．ＢＭＰはプリントに適さない画像データであると判断されたことが示されている。
【００３８】
また、主制御装置５の内部では、プリントに適さないと判断されたコマ画像３１に係る画像データを出力できないようにする処理（プリントのロック）が自動的に行われる。具体的には、かかるロックがかけられることによって、オペレータによる当該画像データのプリント出力操作ができない状態としたり（例えば、操作画面のプリントに係るボタン等を非表示にしたり、あるいはグレー表示にしたりして操作不能とする）、あるいは操作してもプリントをできない状態にする等（例えば、画像処理装置１からプリント装置２に対して当該画像データを出力しない等）を行う。
【００３９】
このように、プリントのロックが自動的に行われることで、プリントに適さない画像データのプリント出力を確実に防止することができる。
【００４０】
また、本実施形態では、かかるロックは、ジャッジ画面３０のプリント適否ボタン３５を押下することで容易に解除できる構成となっている。ロックが解除されると、当該プリント適否ボタン３５上の表示が”Ｐ可能”に変化し、プリント適否判断処理部１１の判断結果に拘わらず、当該画像データのプリント出力が可能になる。本実施形態において、プリント適否ボタン３５は解除手段を構成する。
【００４１】
プリント適否判断処理部１１による上記判断で、プリントに適さないと判断された場合であっても、状況によっては、プリントする必要性もあることから、このようにオペレータの判断でロックが解除できる構成とすることで、より信頼性の高いサービスの提供が可能となる。
【００４２】
また、これとは逆に、プリントに適すると判断された場合であっても、プリント適否ボタン３５を操作することで、オペレータの判断によりロックをかけることも可能である。この場合、当該プリント適否ボタン３５上の表示は、”Ｐ可能”から”Ｐ不可”に変化する。
【００４３】
以上のように本発明の本実施形態に係る写真処理装置によれば、手ぶれ等が原因による不良画像（ぼけ画像）を自動的に識別でき、当該不良画像のプリントを確実に防止することができる。
【００４４】
尚、本発明は、上記実施形態に限定されることはなく、本発明の要旨を逸脱しない範囲で種々の変更が可能である。
【００４５】
例えば、プリント適否判断処理部１１のプリント適否の判断方法は上記実施形態に限定されるものでなく、例えば、判断手段４１は、低周波成分の成分比を求め、使用する基準値は、実測（実験）等により導出された、プリントに適さない画像データにおける低周波成分比の最小値であるとし、判断手段４１は、かかる基準値と求めた成分比とを比較し、該成分比が基準値以上となっている場合には、プリントに適さないとしてプリント不可信号をＣＰＵ８に出力し、基準値に達していない場合には、プリント可能信号を出力する仕様としてもよい。このように、画像データの空間周波数成分において高周波成分が少ない場合（即ち、低周波成分が多い場合）を手ぶれ等によるぼけ画像と判断する手法であれば、本発明の意図する範囲であるといえる。
【００４６】
また、上記実施形態では、判断手段４１が用いる基準値を固定値としているが、かかる基準値をオペレータによって調整可能とする構成とすることもできる。この場合、当該写真処理装置の所定の場所に調整つまみ等を設ける構成としてもよいし、モニタに表示される操作画面上で調整できる構成としてもよい。かかる構成を採用することで、当該画像データの撮影シーン等の詳細（付加的な）情報も考慮することができ、プリント適否判断処理部１１によるプリント適否判断の精度が高まる。
【００４７】
また、同様に、画像データの空間周波数成分を高周波成分と低周波成分とに分離する境界値についても固定値とせず、オペレータによって調整可能とする構成にしてもよい。
【図面の簡単な説明】
【００４８】
【図１】本発明の一実施形態に係る写真処理装置の外観図である。
【図２】同実施形態に係る写真処理装置の概略構成図である。
【図３】同実施形態において、モニタに表示されるジャッジ画面の一例を示す図である。
【図４】同実施形態において、プリント適否判断処理部の内部構成を示すブロック図である。
【符号の説明】
【００４９】
１…画像処理装置、２…プリント装置、３…スキャナ、４…メディアドライブ、５…主制御装置、６…モニタ、７…入力装置、８…ＣＰＵ、９ａ…ＲＯＭ、９ｂ…ＲＡＭ、１０…Ｉ／Ｏ処理部、１１…プリント適否判断処理部、１２…露光処理部、１３…現像処理部、１４…乾燥処理部、１５…仕分処理部、１６ａ，１６ｂ…マガジン、１７…搬送用ローラ対、１８…露光装置、１８ａ…光源、１８ｂ…光ファイバー束、１８ｃ…光シャッター、１９…熱風装置、２０…サイズ仕分部、２１…オーダ仕分部、２２…トレー、２３…コンベア、２４…受皿、３０…ジャッジ画面、３１…コマ画像、３２…補正ボタンエリア、３３ｙ，３３ｍ，３３ｃ…色補正ボタン、３３ｄ…濃度補正ボタン、３４…ＤＳＡボタン、３５…プリント適否ボタン、４０…周波数成分抽出手段、４１…判断手段
【図１】
2006058749.tif 000003
【図２】
2006058749.tif 000004
【図３】
2006058749.tif 000005
【図４】
2006058749.tif 000006